(57)【特許請求の範囲】
【請求項１】
物体側から順に、正の屈折力の第１レンズ群と、開口絞りと、正の屈折力の第２レンズ群と、負の屈折力の第３レンズ群より構成され、
無限遠から近距離へのフォーカシングに際して前記第２レンズ群が光軸に沿って物体側へ移動し、前記第３レンズ群は物体側から順に負の屈折力の３ａ群と正の屈折力の３ｂ群よりなって、前記３ａ群は１枚の負レンズよりなり、前記３ｂ群は最も像側に正レンズを有し、前記３ａ群を光軸と直交する方向に移動させることによって防振を行い、下記の条件式を満足することを特徴とする防振機構を備えた結像光学系。
（１）１．２０＜ｆ１／ｆ２３＜７．５０
（２）０．０１＜｜ｆ２／ｆ３｜＜０．３５
（３）０．９０＜｜ｆ３ａ×ｆ３ｂ／ｆ＾２｜＜６．５０
ただし、
ｆｉ：第ｉレンズ群の焦点距離
ｆ２３：第２レンズ群と第３レンズ群の無限遠合焦時における合成焦点距離
ｆ３ａ：３ａ群の焦点距離
ｆ３ｂ：３ｂ群の焦点距離
ｆ：結像光学系全系の無限遠合焦時における焦点距離
【請求項２】
前記第１レンズ群は、物体側から順に物体側に凸面を向けた正レンズと像側に凹面を向けた負レンズとの接合レンズＤＢ１を有し、前記第２レンズ群は、物体側から順に物体側に凹面を向けた負レンズと像側に凸面を向けた正レンズとの接合レンズＤＢ２と両凸形状の正レンズから構成され、下記の条件式を満足することを特徴とする請求項１に記載の防振機構を備えた結像光学系。
（４）｜ＲＤＢ１／ｆ｜＞１．００
（５）｜ＲＤＢ２／ｆ｜＞０．８５
ただし、
ＲＤＢ１：接合レンズＤＢ１の接合面の曲率半径
ＲＤＢ２：接合レンズＤＢ２の接合面の曲率半径
【請求項３】
前記接合レンズＤＢ１は、前記第１レンズ群に含まれる接合レンズのうち最も像側に位置することを特徴とする請求項２に記載の防振機構を備えた結像光学系。
【請求項４】
下記の条件式を満足することを特徴とする請求項１乃至３のいずれかに記載の防振機構を備えた結像光学系。
（６）０．８００＜ｎ３ａ／ｎ３ｂ＜０．９９０
ただし、
ｎ３ａ：３ａ群を構成する負レンズの屈折率の最大値
ｎ３ｂ：３ｂ群を構成する正レンズの屈折率の最小値
【請求項５】
前記第２レンズ群は、物体側から順に、物体側に凹面を向けた負レンズと像側に凸面を
向けた正レンズとの接合レンズＤＢ２と両凸形状の正レンズのみから構成されることを特
徴とする請求項１に記載の防振機構を備えた結像光学系。
【発明の詳細な説明】
【技術分野】
【０００１】
本発明はデジタルカメラ、ビデオカメラなどに用いられる撮影レンズに好適な防振機構を備えた結像光学系に関する。
【背景技術】
【０００２】
近年、デジタルスチルカメラやビデオカメラ等の撮像装置の普及に伴い、撮像素子の画素数の増加が急速に進んでおり、より高画質の結像光学系が求められている。更に近年では高画質を得るために大型の撮像素子を採用するカメラが増加している。
【０００３】
同じ画素数ならば、大型の撮像素子は小型のものに比べて画素あたりの面積が大きいため、ノイズの少ない良好な画像を得ることが出来る。しかし撮像素子が大きくなると、当然ながら結像光学系も大型化する傾向がある。
【０００４】
撮像装置に広く使用される撮像素子は一般に入射角の大きな光に対して感度が低下するという特性を持つ。撮像素子に対して、周辺部まで入射角を小さく保つためにはレトロフォーカス型の屈折力配置が有利となる。
【０００５】
しかし、レトロフォーカス型の屈折力配置は、撮像素子の大きさに対して結像光学系の全長が大きくなりがちである。大型の撮像素子を使用する撮像装置においては、結像光学系の全長が大きくなると撮像装置全体が大型化してしまう。
【０００６】
従って大型の撮像素子に対応する光学系としては、撮像素子への入射角、すなわち結像光学系からの光線射出角を抑えつつ可能な限り小型化することが課題となる。
【０００７】
大型の撮像素子に対応するための、画角５０〜６０°程度のコンパクトな結像光学系としては例えば特許文献１乃至３に開示されている。
【先行技術文献】
【特許文献】
【０００８】
【特許文献１】特開２００３−２４１０８４号公報
【０００９】
【特許文献２】特開２００９−２５８１５８号公報
【００１０】
【特許文献３】特開２０１０−１０１９７９号公報
【発明の概要】
【発明が解決しようとする課題】
【００１１】
前述のように大型の撮像素子に対応する結像光学系においては十分な小型化が課題となるが、小型化に伴う性能の低下や製造誤差に対する敏感度の増大を最小限に抑えることが同時に必要となる。またフォーカシングに用いるレンズ群をなるべく軽くし、アクチュエータの小型化やフォーカシングの高速化も望まれる。
【００１２】
また画素数の多い撮像素子においては微少なブレが画像のシャープネスの低下につながるため、防振機構を搭載することが望ましい。
【００１３】
特許文献１および特許文献２に記載の結像光学系は、絞りより物体側の第１レンズ群内に物体側から順に負レンズと正レンズを配置し、それらのレンズを近接して配置して合成屈折力を正とし、さらに絞りより像側の第２レンズ群を物体側の第1レンズ群よりも強い正の屈折力とすることで全長の小型化と光線射出角の抑制が達成されている。フォーカシングは３枚程度のレンズからなる正の屈折力の第２レンズ群のみで行うことによって一定の軽量化が達成でき、さらにフォーカシングの高速化やアクチュエータの小型化が可能となる。
【００１４】
また、特許文献１および特許文献２に記載の結像光学系は、絞りよりも物体側の第１レンズ群では最も物体側の面を物体側に凸としつつ最も像側の面を像側に凹とし、また逆に、絞りよりも像側の第２レンズ群では最も物体側の面を物体側に凹としつつ最も像側の面を像側に凸としている。
【００１５】
一般に、上記のように絞りに対しコンセントリックなレンズ形状とすることにより、軸外主光線の各面への入射角を小さくして各面での非点収差やコマ収差の発生を抑制できる。また、レンズの屈折力配置が開口絞りを中心として対称に近いと第１レンズ群と第２レンズ群の間でコマ収差、歪曲、倍率色収差等を打ち消し合い、結像光学系全体として良好な収差補正を実現できる。
【００１６】
しかしながら、このような第１レンズ群と第２レンズ群のみからなる構成の結像光学系では、フォーカシングに伴って第２レンズ群を移動させることにより屈折力配置が大きく変化し、諸収差、特にコマ収差や歪曲、倍率色収差の変動が大きくなるため、近距離での性能が不十分となる。
【００１７】
また、これらの収差は画角が大きくなるほど大きく発生するため、その補正および変動の抑制が難しくなる。このため、この形式の結像光学系は対角線全画角が３０°程度の中望遠画角において主に使用されており、対角線全画角が５０°程度の標準画角に使用された例は少ない。
【００１８】
また防振については特許文献２において、フォーカス群内のレンズ１枚を光軸と直交する方向に移動することで行うことが提案されているが、収差変動の敏感度が高いため、十分な性能を達成することが難しい。更にフォーカス群の機構が複雑化してフォーカス群の重量増加を招いてしまう。
【００１９】
一方、特許文献３に記載の結像光学系は光学系の最も物体側に負のレンズエレメントが配置されたレトロフォーカス型の屈折力配置となっており、光線射出角を抑制している。また、フォーカシングを最も像側のレンズ１枚で行っているために非常に軽量である。
【００２０】
その反面、レトロフォーカス型の屈折力配置により全長がやや長いという欠点がある。この光学系は絞りより物体側の群の合成屈折力を正として全長の短縮を図っているが、最も物体側に位置する２枚の負レンズの屈折力が大きく、絞りより物体側の群だけで強いレトロフォーカス型の屈折力配置となっているため全長の短縮が難しい。
【００２１】
またフォーカス群がレンズ系の最も像側の１枚であるために、屈折力を強くして移動量の短縮を図ると、フォーカス群単体での収差補正が困難となってフォーカシングに伴う収差変動が大きくなるという問題が生じ、またフォーカス群の屈折力を弱くするとフォーカス群の移動量が大きくなって結像光学系全体の小型化に不利となる。
【００２２】
また防振についての言及は無い。
【００２３】
本発明はこのような状況に鑑みてなされたものであり、対角線全画角がおおよそ６０°から３０°程度の広角から中望遠の画角領域に適し、大型の撮像素子に対応し、高性能化と小型化を達成し、光線射出角を抑制し、かつ軽量なレンズ群でフォーカシングを行いながら、撮影領域全体で収差変動の少ない、防振機構を備えた結像光学系を提供することを目的とする。
【課題を解決するための手段】
【００２４】
上記目的を達成するために、本発明の第１の防振機構を備えた結像光学系は、物体側から順に、正の屈折力の第１レンズ群と、開口絞りと、正の屈折力の第２レンズ群と、負の屈折力の第３レンズ群より構成され、無限遠から近距離へのフォーカシングに際して前記第２レンズ群が光軸に沿って物体側へ移動し、前記第３レンズ群は物体側から順に負の屈折力の３ａ群と正の屈折力の３ｂ群よりなって、前記３ａ群は１枚の負レンズよりなり、前記３ｂ群は最も像側に正レンズを有し、前記３ａ群を光軸と直交する方向に移動させることによって防振を行い、下記の条件式を満足することを特徴とする。
（１）１．２０＜ｆ１／ｆ２３＜７．５０
（２）０．０１＜｜ｆ２／ｆ３｜＜０．３５
（３）０．９０＜｜ｆ３ａ×ｆ３ｂ／ｆ＾２｜＜６．５０
ただし、
ｆｉ：第ｉレンズ群の焦点距離
ｆ２３：第２レンズ群と第３レンズ群の無限遠合焦時における合成焦点距離
ｆ３ａ：３ａ群の焦点距離
ｆ３ｂ：３ｂ群の焦点距離
ｆ：結像光学系全系の無限遠合焦時における焦点距離
【００２５】
また本発明の第２の防振機構を備えた結像光学系は、本発明の第１の防振機構を備えた
結像光学系において、前記第１レンズ群は、物体側から順に物体側に凸面を向けた正レンズと像側に凹面を向けた負レンズとの接合レンズＤＢ１を有し、前記第２レンズ群は、物体側から順に物体側に凹面を向けた負レンズと像側に凸面を向けた正レンズとの接合レンズＤＢ２と両凸形状の正レンズから構成され、下記の条件式を満足することを特徴とする。
（４）｜ＲＤＢ１／ｆ｜＞１．００
（５）｜ＲＤＢ２／ｆ｜＞０．８５
ただし、
ＲＤＢ１：接合レンズＤＢ１の接合面の曲率半径
ＲＤＢ２：接合レンズＤＢ２の接合面の曲率半径
【００２６】
また本発明の第３の防振機構を備えた結像光学系は、本発明の第２の防振機構を備えた結像光学系において、前記接合レンズＤＢ１は、前記第１レンズ群に含まれる接合レンズのうち最も像側に位置することを特徴とする。
【００２７】
さらに本発明の第４の防振機構を備えた結像光学系は、本発明の第１乃至第３いずれかの防振機構を備えた結像光学系において、下記の条件式を満足することを特徴とする。
（６）０．８００＜ｎ３ａ／ｎ３ｂ＜０．９９０
ただし、
ｎ３ａ：３ａ群を構成する負レンズの屈折率の最大値
ｎ３ｂ：３ｂ群を構成する正レンズの屈折率の最小値
【００３０】
さらに本発明の第５の防振機構を備えた結像光学系は、本発明の第１の防振機構を備えた結像光学系において、前記第２レンズ群は、物体側から順に、物体側に凹面を向けた負レンズと像側に凸面を向けた正レンズとの接合レンズＤＢ２と両凸形状の正レンズのみから構成されることを特徴とする。
【発明の効果】
【００３１】
本発明を実施の防振機構を備えた結像光学系によれば、対角線全画角がおおよそ６０°から３０°程度の広角から中望遠の画角領域に適し、大型の撮像素子に対応し、高性能化と小型化を達成し、光線射出角を抑制し、かつ軽量なレンズ群でフォーカシングを行いながら、撮影領域全体で収差変動の少ない防振機構を備えた結像光学系を提供することができる。
【図面の簡単な説明】
【００３２】
【図１】本発明の防振機構を備えた結像光学系の実施例１に係るレンズ構成図である。
【図２】実施例１の防振機構を備えた結像光学系の撮影距離無限遠における縦収差図である。
【図３】実施例１の防振機構を備えた結像光学系の撮影距離５００ｍｍにおける縦収差図である。
【図４】実施例１の防振機構を備えた結像光学系の撮影距離無限遠における横収差図である。
【図５】実施例１の防振機構を備えた結像光学系の撮影距離５００ｍｍにおける横収差図である。
【図６】実施例１の防振機構を備えた結像光学系の撮影距離無限遠において、防振群をプラス方向に０．２５ｍｍ変移させた状態の横収差図である。
【図７】実施例１の防振機構を備えた結像光学系の撮影距離５００ｍｍにおいて、防振群をプラス方向に０．２５ｍｍ変移させた状態の横収差図である。
【図８】本発明の防振機構を備えた結像光学系の実施例２に係るレンズ構成図である。
【図９】実施例２の防振機構を備えた結像光学系の撮影距離無限遠における縦収差図である。
【図１０】実施例２の防振機構を備えた結像光学系の撮影距離５００ｍｍにおける縦収差図である。
【図１１】実施例２の防振機構を備えた結像光学系の撮影距離無限遠における横収差図である。
【図１２】実施例２の防振機構を備えた結像光学系の撮影距離５００ｍｍにおける横収差図である。
【図１３】実施例２の防振機構を備えた結像光学系の撮影距離無限遠において、防振群をプラス方向に０．２５ｍｍ変移させた状態の横収差図である。
【図１４】実施例２の防振機構を備えた結像光学系の撮影距離５００ｍｍにおいて、防振群をプラス方向に０．２５ｍｍ変移させた状態の横収差図である。
【図１５】本発明の防振機構を備えた結像光学系の実施例３に係るレンズ構成図である。
【図１６】実施例３の防振機構を備えた結像光学系の撮影距離無限遠における縦収差図である。
【図１７】実施例３の防振機構を備えた結像光学系の撮影距離５００ｍｍにおける縦収差図である。
【図１８】実施例３の防振機構を備えた結像光学系の撮影距離無限遠における横収差図である。
【図１９】実施例３の防振機構を備えた結像光学系の撮影距離５００ｍｍにおける横収差図である。
【図２０】実施例３の防振機構を備えた結像光学系の撮影距離無限遠において、防振群をプラス方向に０．２５ｍｍ変移させた状態の横収差図である。
【図２１】実施例３の防振機構を備えた結像光学系の撮影距離５００ｍｍにおいて、防振群をプラス方向に０．２５ｍｍ変移させた状態の横収差図である。
【図２２】本発明の防振機構を備えた結像光学系の実施例４に係るレンズ構成図である。
【図２３】実施例４の防振機構を備えた結像光学系の撮影距離無限遠における縦収差図である。
【図２４】実施例４の防振機構を備えた結像光学系の撮影距離５００ｍｍにおける縦収差図である。
【図２５】実施例４の防振機構を備えた結像光学系の撮影距離無限遠における横収差図である。
【図２６】実施例４の防振機構を備えた結像光学系の撮影距離５００ｍｍにおける横収差図である。
【図２７】実施例４の防振機構を備えた結像光学系の撮影距離無限遠において、防振群をプラス方向に０．２５ｍｍ変移させた状態の横収差図である。
【図２８】実施例４の防振機構を備えた結像光学系の撮影距離５００ｍｍにおいて、防振群をプラス方向に０．２５ｍｍ変移させた状態の横収差図である。
【図２９】本発明の防振機構を備えた結像光学系の実施例５に係るレンズ構成図である。
【図３０】実施例５の防振機構を備えた結像光学系の撮影距離無限遠における縦収差図である。
【図３１】実施例５の防振機構を備えた結像光学系の撮影距離５００ｍｍにおける縦収差図である。
【図３２】実施例５の防振機構を備えた結像光学系の撮影距離無限遠における横収差図である。
【図３３】実施例５の防振機構を備えた結像光学系の撮影距離５００ｍｍにおける横収差図である。
【図３４】実施例５の防振機構を備えた結像光学系の撮影距離無限遠において、防振群をプラス方向に０．２５ｍｍ変移させた状態の横収差図である。
【図３５】実施例５の防振機構を備えた結像光学系の撮影距離５００ｍｍにおいて、防振群をプラス方向に０．２５ｍｍ変移させた状態の横収差図である。
【図３６】本発明の防振機構を備えた結像光学系の実施例６に係るレンズ構成図である。
【図３７】実施例６の防振機構を備えた結像光学系の撮影距離無限遠における縦収差図である。
【図３８】実施例６の防振機構を備えた結像光学系の撮影距離５００ｍｍにおける縦収差図である。
【図３９】実施例６の防振機構を備えた結像光学系の撮影距離無限遠における横収差図である。
【図４０】実施例６の防振機構を備えた結像光学系の撮影距離５００ｍｍにおける横収差図である。
【図４１】実施例６の防振機構を備えた結像光学系の撮影距離無限遠において、防振群をプラス方向に０．２５ｍｍ変移させた状態の横収差図である。
【図４２】実施例６の防振機構を備えた結像光学系の撮影距離５００ｍｍにおいて、防振群をプラス方向に０．２５ｍｍ変移させた状態の横収差図である。
【図４３】本発明の防振機構を備えた結像光学系の実施例７に係るレンズ構成図である。
【図４４】実施例７の防振機構を備えた結像光学系の撮影距離無限遠における縦収差図である。
【図４５】実施例７の防振機構を備えた結像光学系の撮影距離５００ｍｍにおける縦収差図である。
【図４６】実施例７の防振機構を備えた結像光学系の撮影距離無限遠における横収差図である。
【図４７】実施例７の防振機構を備えた結像光学系の撮影距離５００ｍｍにおける横収差図である。
【図４８】実施例７の防振機構を備えた結像光学系の撮影距離無限遠において、防振群をプラス方向に０．２５ｍｍ変移させた状態の横収差図である。
【図４９】実施例７の防振機構を備えた結像光学系の撮影距離５００ｍｍにおいて、防振群をプラス方向に０．２５ｍｍ変移させた状態の横収差図である。
【図５０】本発明の防振機構を備えた結像光学系の実施例８に係るレンズ構成図である。
【図５１】実施例８の防振機構を備えた結像光学系の撮影距離無限遠における縦収差図である。
【図５２】実施例８の防振機構を備えた結像光学系の撮影距離５００ｍｍにおける縦収差図である。
【図５３】実施例８の防振機構を備えた結像光学系の撮影距離無限遠における横収差図である。
【図５４】実施例８の防振機構を備えた結像光学系の撮影距離５００ｍｍにおける横収差図である。
【図５５】実施例８の防振機構を備えた結像光学系の撮影距離無限遠において、防振群をプラス方向に０．２５ｍｍ変移させた状態の横収差図である。
【図５６】実施例８の防振機構を備えた結像光学系の撮影距離５００ｍｍにおいて、防振群をプラス方向に０．２５ｍｍ変移させた状態の横収差図である。
【図５７】本発明の防振機構を備えた結像光学系の実施例９に係るレンズ構成図である。
【図５８】実施例９の防振機構を備えた結像光学系の撮影距離無限遠における縦収差図である。
【図５９】実施例９の防振機構を備えた結像光学系の撮影距離５００ｍｍにおける縦収差図である。
【図６０】実施例９の防振機構を備えた結像光学系の撮影距離無限遠における横収差図である。
【図６１】実施例９の防振機構を備えた結像光学系の撮影距離５００ｍｍにおける横収差図である。
【図６２】実施例９の防振機構を備えた結像光学系の撮影距離無限遠において、防振群をプラス方向に０．２５ｍｍ変移させた状態の横収差図である。
【図６３】実施例９の防振機構を備えた結像光学系の撮影距離５００ｍｍにおいて、防振群をプラス方向に０．２５ｍｍ変移させた状態の横収差図である。
【図６４】本発明の防振機構を備えた結像光学系の実施例１０に係るレンズ構成図である。
【図６５】実施例１０の防振機構を備えた結像光学系の撮影距離無限遠における縦収差図である。
【図６６】実施例１０の防振機構を備えた結像光学系の撮影距離５００ｍｍにおける縦収差図である。
【図６７】実施例１０の防振機構を備えた結像光学系の撮影距離無限遠における横収差図である。
【図６８】実施例１０の防振機構を備えた結像光学系の撮影距離５００ｍｍにおける横収差図である。
【図６９】実施例１０の防振機構を備えた結像光学系の撮影距離無限遠において、防振群をプラス方向に０．２５ｍｍ変移させた状態の横収差図である。
【図７０】実施例１０の防振機構を備えた結像光学系の撮影距離５００ｍｍにおいて、防振群をプラス方向に０．２５ｍｍ変移させた状態の横収差図である。
【図７１】本発明の防振機構を備えた結像光学系の実施例１１に係るレンズ構成図である。
【図７２】実施例１１の防振機構を備えた結像光学系の撮影距離無限遠における縦収差図である。
【図７３】実施例１１の防振機構を備えた結像光学系の撮影距離５００ｍｍにおける縦収差図である。
【図７４】実施例１１の防振機構を備えた結像光学系の撮影距離無限遠における横収差図である。
【図７５】実施例１１の防振機構を備えた結像光学系の撮影距離５００ｍｍにおける横収差図である。
【図７６】実施例１１の防振機構を備えた結像光学系の撮影距離無限遠において、防振群をプラス方向に０．２５ｍｍ変移させた状態の横収差図である。
【図７７】実施例１１の防振機構を備えた結像光学系の撮影距離５００ｍｍにおいて、防振群をプラス方向に０．２５ｍｍ変移させた状態の横収差図である。
【図７８】本発明の防振機構を備えた結像光学系の実施例１２に係るレンズ構成図である。
【図７９】実施例１２の防振機構を備えた結像光学系の撮影距離無限遠における縦収差図である。
【図８０】実施例１２の防振機構を備えた結像光学系の撮影距離８００ｍｍにおける縦収差図である。
【図８１】実施例１２の防振機構を備えた結像光学系の撮影距離無限遠における横収差図である。
【図８２】実施例１２の防振機構を備えた結像光学系の撮影距離８００ｍｍにおける横収差図である。
【図８３】実施例１２の防振機構を備えた結像光学系の撮影距離無限遠において、防振群をプラス方向に０．５ｍｍ変移させた状態の横収差図である。
【図８４】実施例１２の防振機構を備えた結像光学系の撮影距離８００ｍｍにおいて、防振群をプラス方向に０．５ｍｍ変移させた状態の横収差図である。
【図８５】本発明の防振機構を備えた結像光学系の実施例１３に係るレンズ構成図である。
【図８６】実施例１３の防振機構を備えた結像光学系の撮影距離無限遠における縦収差図である。
【図８７】実施例１３の防振機構を備えた結像光学系の撮影距離８００ｍｍにおける縦収差図である。
【図８８】実施例１３の防振機構を備えた結像光学系の撮影距離無限遠における横収差図である。
【図８９】実施例１３の防振機構を備えた結像光学系の撮影距離８００ｍｍにおける横収差図である。
【図９０】実施例１３の防振機構を備えた結像光学系の撮影距離無限遠において、防振群をプラス方向に０．５ｍｍ変移させた状態の横収差図である。
【図９１】実施例１３の防振機構を備えた結像光学系の撮影距離８００ｍｍにおいて、防振群をプラス方向に０．５ｍｍ変移させた状態の横収差図である。
【図９２】本発明の防振機構を備えた結像光学系の実施例１４に係るレンズ構成図である。
【図９３】実施例１４の防振機構を備えた結像光学系の撮影距離無限遠における縦収差図である。
【図９４】実施例１４の防振機構を備えた結像光学系の撮影距離８００ｍｍにおける縦収差図である。
【図９５】実施例１４の防振機構を備えた結像光学系の撮影距離無限遠における横収差図である。
【図９６】実施例１４の防振機構を備えた結像光学系の撮影距離８００ｍｍにおける横収差図である。
【図９７】実施例１４の防振機構を備えた結像光学系の撮影距離無限遠において、防振群をプラス方向に０．５ｍｍ変移させた状態の横収差図である。
【図９８】実施例１４の防振機構を備えた結像光学系の撮影距離８００ｍｍにおいて、防振群をプラス方向に０．５ｍｍ変移させた状態の横収差図である。
【図９９】防振群の屈折力が負である場合の防振時の収差補正を説明する図である。
【図１００】防振群の屈折力が正である場合の防振時の収差補正を説明する図である。
【発明を実施するための形態】
【００３３】
本発明の結像光学系は、図１、図８、図１５、図２２、図２９、図３６、図４３、図５０、図５７、図６４、図７１、図７８、図８５、及び図９２に示すレンズ構成図からわかるように、物体側から順に、正の屈折力の第１レンズ群Ｇ１と、開口絞りＳと、正の屈折力の第２レンズ群Ｇ２と、負の屈折力の第３レンズ群Ｇ３より構成され、無限遠から近距離へのフォーカシングに際して第２レンズ群Ｇ２が光軸に沿って物体側へ移動する構成となっている。
【００３４】
また、第３レンズ群Ｇ３は物体側から順に負の屈折力の３ａ群Ｇ３ａと正の屈折力の３ｂ群Ｇ３ｂから構成され、３ａ群Ｇ３ａを光軸と直交する方向に移動させることにより防振を行う。
【００３５】
まず、第１レンズ群Ｇ１と第２レンズ群Ｇ２の合成系における、フォーカシングに伴う収差の変動について定性的に説明する。
【００３６】
一般的に、開口絞りに対して同じ側にある正の屈折力のレンズ群と負の屈折力のレンズ群の残存収差の符号は逆である。また、軸外主光線通過位置が光軸から遠いほどコマ収差等の軸外収差の発生は大きくなる。
【００３７】
本発明の防振機構を備えた結像光学系では、無限遠から近距離へのフォーカシングに伴い、第１レンズ群Ｇ１での軸外主光線通過位置は殆ど変化しないが、第２レンズ群Ｇ２は物体側へ移動するので第２レンズ群Ｇ２での軸外主光線通過位置はより光軸に近くなる。
【００３８】
このため、第１レンズ群Ｇ１の発生させる収差は殆ど変化しないにも拘らず第２レンズ群の発生させる収差は小さくなり、第１レンズ群Ｇ１と第２レンズ群Ｇ２の合成系において収差変動が発生することになる。
【００３９】
第１レンズ群Ｇ１と第２レンズ群Ｇ２のそれぞれの群で十分に収差を補正することが出来れば収差変動は少なくなるが、そのためにはそれぞれの群の構成枚数を増加させる必要が有り、フォーカス群の軽量化という本発明の目的の一つが達成できない。
【００４０】
そこで本発明の防振機構を備えた結像光学系では、フォーカシングに伴う収差変動を抑えるために、第２レンズ群Ｇ２の像側にフォーカシング時に移動しない負の屈折力の第３レンズ群Ｇ３を導入した。第３レンズ群Ｇ３導入による効果について説明する。
【００４１】
無限遠から近距離へのフォーカシングに伴って正の屈折力の第２レンズ群Ｇ２が開口絞りＳに近づくので、射出瞳は像側へ移動し、第２レンズ群Ｇ２以降の軸外主光線通過位置は光軸に近くなる。従って、第３レンズ群Ｇ３における軸外主光線通過位置は光軸に近くなり、第３レンズ群Ｇ３の発生させる収差は小さくなる。
【００４２】
前述のように、無限遠から近距離へのフォーカシングに伴って第２レンズ群Ｇ２の発生させる収差は小さくなるので、正の屈折力の第２レンズ群Ｇ２と負の屈折力の第３レンズ群Ｇ３の発生させる収差がそれぞれ小さくなることになる。すなわち、第２レンズ群Ｇ２と第３レンズ群Ｇ３の発生させる収差の符号が逆符号であると、第２レンズ群Ｇ２と第３レンズ群Ｇ３の合成系の収差変動を抑制できる。
【００４３】
上記の理由から第３レンズ群Ｇ３の屈折力を負とすることによって、フォーカシング時の第２レンズ群Ｇ２と第３レンズ群Ｇ３の合成系での収差の変動を抑制でき、第１レンズ群Ｇ１も含めた結像光学系全系のフォーカシングに伴う収差変動を抑制することが可能となる。
【００４４】
このように、本発明の防振機構を備えた結像光学系は、第３レンズ群の導入によってフォーカシングに伴う第２レンズ群の移動によるコマ収差等の軸外収差の変動の抑制を可能としているため、軸外収差の変動の抑制が課題となる対角線全画角５０°程度の標準レンズ、またはそれ以上の画角の広角レンズに適する。また本発明の防振機構を備えた結像光学系は、軸外収差の発生が対角線全画角５０°程度の標準レンズより少ない対角線全画角３０°程度の中望遠レンズに対しても、当然適用可能である。
【００４５】
さらに、負の屈折力の第３レンズ群Ｇ３には、フォーカシングに伴う第２レンズ群Ｇ２の移動量を抑制する、結像光学系の全長を抑制するなどの効果もあるため、結像光学系全体の小型化に寄与する。
【００４６】
一方、前述した通り、撮像素子は入射角の大きな光に対して感度が低下するという特性を持つために、結像光学系からの光線射出角を抑制する必要がある。このため、開口絞りＳを挟んで対向する正の屈折力の第１レンズ群Ｇ１と、正の屈折力の第２レンズ群Ｇ２および負の第３レンズ群Ｇ３の合成系とを比べると、第１レンズ群Ｇ１の正の屈折力の方が弱くなければならない。
【００４７】
同様に、負の屈折力の第３レンズ群Ｇ３は射出瞳を像側に移動させ光線射出角を大きくする作用を持つので、第２レンズ群Ｇ２に比べて第３レンズ群Ｇ３の屈折力の方が小さくなければならない。
【００４８】
次に防振群の配置について説明する。レンズ系後方の第３レンズ群Ｇ３においては、絞りＳより後ろの正の第２レンズ群Ｇ２の作用により、軸外主光線の光軸となす角度が小さくなるために偏芯による非点収差等の収差変動が少なくなりやすく、防振群を配置するのに適する。さらに第３レンズ群Ｇ３はフォーカシングに伴う移動がなく、フォーカス群の重量増加を避けられることも好ましい。
【００４９】
防振群が絞りＳ近傍にない場合の防振時の収差補正について、図を用いて定性的に説明する。一般に、光線の通過位置が光軸から離れるほど光線の偏角が大きくなる。すなわち単色収差の発生が大きくなるといえる。
【００５０】
以下の説明では、標準状態の防振群入射前後の光線の偏角をδ、シフト状態の防振群入射前後の光線の偏角をδ’、標準状態の防振群から射出される光線が防振群の像側の群に入射する位置と結像光学系全体の光軸との距離をｈ、シフト状態の防振群から射出される光線が防振群の像側の群に入射する位置と結像光学系全体の光軸との距離をｈ’とする。
【００５１】
まず図９９を用いて、防振群の屈折力が負である場合を考える。防振群の中心軸が光線の入射位置に近づく方向にシフトした場合、図からわかる通り、標準状態の偏角δに比べてシフト状態の偏角δ’は小さくなり、防振群の発生させる収差の絶対値は小さくなる傾向にある。この時、防振群の屈折力が負であることからｈ’はｈに比べて小さくなり、防振群より像側のレンズの発生させる収差の絶対値も小さくなる傾向にある。
【００５２】
その結果、防振群と防振群より像側の群の発生させる収差の絶対値がともに小さくなるので、防振時の収差変動を抑制するためには防振群と防振群より像側の群の発生させる収差は異符号であると良い。このため、定性的には防振群と防振群より像側の群の屈折力は異符号である方が良い。
【００５３】
したがって、防振群の屈折力が負である場合は防振群より像側の群の屈折力は正であると良い。
【００５４】
次に図１００を用いて、防振群の屈折力が正である場合を考える。防振群の中心軸が光線の入射位置に近づく方向にシフトした場合、図からわかる通り、標準状態の偏角δに比べてシフト状態の偏角δ’は小さくなり、防振群の発生させる収差の絶対値は小さくなる傾向にある。この時、防振群の屈折力が正であることからｈ’はｈに比べて大きくなり、防振群より像側のレンズの発生させる収差の絶対値も大きくなる傾向にある。
【００５５】
その結果、防振群の発生させる収差の絶対値は小さく、防振群より像側の群の発生させる収差の絶対値は大きくなるので、防振時の収差変動を抑制するためには防振群と防振群より像側の群の発生させる収差は同符号であると良い。このため、定性的には防振群と防振群より像側の群の屈折力は同符号である方が良い。
【００５６】
したがって、防振群の屈折力が正である場合は防振群より像側の群の屈折力は正であると良い。
【００５７】
これらのことから防振群が絞りの近傍にない場合において、防振群の屈折力の符号に関わらず、防振群より像側に正の屈折力の群を配置することによって防振時の収差変動を抑制することができる。したがって、本発明の防振機構を備えた結像光学系では、第３レンズ群を負の屈折力の３ａ群Ｇ３ａと正の屈折力の３ｂ群Ｇ３ｂより構成し、３ａ群Ｇ３ａにおいて防振を行う構成とした。第３レンズ群内の３ａ群Ｇ３ａよりさらに物体側にレンズ群を設けても良い。ただし、機構構成が複雑化するため装置全体の小型化に不利となる。
【００５８】
そこで、本発明の防振機構を備えた結像光学系が満たす条件式１は、第１レンズ群Ｇ１と、第２レンズ群Ｇ２および第３レンズ群Ｇ３の合成系との無限遠合焦状態における焦点距離の比に関して、光学系の全長とレンズからの光線射出角とを抑制するための好ましい範囲を規定するものである。
【００５９】
条件式１の下限を下回ると、第１レンズ群Ｇ１の屈折力が強くなって光線射出角の抑制が困難となる。一方、条件式１の上限を上回ると、第２レンズ群Ｇ２の屈折力が強くなるために第２レンズ群Ｇ２および第３レンズ群Ｇ３の収差補正が困難となる。また第２レンズ群Ｇ２および第３レンズ群Ｇ３の合成系の屈折力が第１レンズ群Ｇ１に対して強くなり、レトロフォーカス型の屈折力配置に近づくため、バックフォーカスが長くなって結像光学系全体の全長の抑制が難しくなり、防振機構を備えた結像光学系の小型化を阻害する。
【００６０】
なお、上述した条件式１について、その下限値を１．３０に、またさらに２．４０とすることで、前述の効果をより確実にすることができる。また、上限値を７．００とすることで、前述の効果をより確実にすることができる。
【００６１】
また、本発明の防振機構を備えた結像光学系が満たす条件式２は、第２レンズ群Ｇ２と第３レンズ群Ｇ３の焦点距離の比に関して、レンズからの光線射出角と収差変動とを抑制するための好ましい範囲を規定するものである。
【００６２】
条件式２の下限を下回ると、第３レンズ群Ｇ３の屈折力が弱くなってフォーカシングに伴う収差変動を抑制することが難しくなる。また、光学系全長やフォーカシングに伴う第２レンズ群Ｇ２の移動量の抑制が難しくなり、防振機構を備えた結像光学系の小型化を阻害する。一方、条件式２の上限を超えると第３レンズ群Ｇ３の屈折力が強くなり光線射出角の抑制が難しくなる。
【００６３】
なお、上述した条件式２について、その下限値を０．０２とすることで、前述の効果をより確実にすることができる。また、上限値を０．３０に、またさらに０．２５とすることで、前述の効果をより確実にすることができる。
【００６４】
また、本発明の防振機構を備えた結像光学系が満たす条件式３は、３ａ群Ｇ３ａと３ｂ群Ｇ３ｂの屈折力に関して、防振時及びフォーカシング時の収差変動の抑制のために満たすべき範囲を規定するものである。
【００６５】
条件式３の下限を下回って３ａ群Ｇ３ａと３ｂ群Ｇ３ｂの屈折力が大きくなるとそれぞれの群の発生させる球面収差やコマ収差が大きくなり、防振時の収差変動が大きくなり、画質低下が大きくなる。一方、条件式３の上限を上回って３ａ群Ｇ３ａと３ｂ群Ｇ３ｂの屈折力が小さくなると、第３レンズ群Ｇ３全体での収差発生が少なくなりすぎてフォーカシング時の収差変動を抑制することが困難となる。また防振群の移動量あたりの像の変移量を大きくとれなくなるため、防振群の移動量を大きくする必要が有り、鏡筒径の大型化を招く。
【００６６】
さらに本発明の防振機構を備えた結像光学系では、第１レンズ群Ｇ１内に、物体側から順に物体側に凸面を向けた正レンズと像側に凹面を向けた負レンズの２枚のレンズからなる接合レンズＤＢ１を有し、第２レンズ群Ｇ２内に、物体側から順に物体側に凹面を向けた負レンズと像側に凸面を向けた正レンズの２枚のレンズからなる接合レンズＤＢ２を有する構成としている。これにより、コマ収差や非点収差等の軸外収差を補正するとともに、第１レンズ群Ｇ１と第２レンズ群Ｇ２のそれぞれでの軸上色収差の補正を行っている。
【００６７】
これらの接合レンズを分離して空気レンズとすると曲率の自由度が１面分増えるので、開放でのコマフレアをさらに削減できる可能性があるが、各レンズの偏芯による性能低下が大きくなるため、製造時の性能が低下するおそれがある。また瞳中心付近での横収差が大きくなりやすいため、開口絞りＳを絞っても解像度が上がらないなどの問題がある。
【００６８】
さらに第２レンズ群Ｇ２は光線射出角を抑制するために大きな屈折力を持つ必要があるため、接合レンズＤＢ２の像側に両凸形状の正レンズを有するのが良い。
【００６９】
本発明の防振機構を備えた結像光学系では、第１レンズ群中の接合レンズＤＢ１、および第２レンズ群中の接合レンズＤＢ２の接合面が条件式４および５を満たすことが望ましい。これらの条件式は、各接合レンズＤＢ１およびＤＢ２それぞれの接合面の曲率半径に関して、好ましい条件を規定するものである。
【００７０】
条件式４および５に規定の範囲を超えて各接合面の曲率が強くなると、接合面で発生する７次のコマ収差や５次および７次の非点収差の発生が大きくなり、接合レンズの偏芯による性能低下が大きくなる。また接合レンズの体積が大きくなり重量が増加する。特に接合レンズＤＢ２はフォーカシング時に移動する第２レンズ群Ｇ２内に設けられているので、重量増加は大きな問題となる。
【００７１】
さらに本発明の防振機構を備えた結像光学系では、前記第１レンズ群中の接合レンズＤＢ１が第１レンズ群中の最も像側に配置されることが望ましい。前述のように接合レンズＤＢ１は像側に凹面を向けているので、像側の面が負の屈折力となっている。この面を第１レンズ群中の最も像側に配置することによって、第１レンズ群内部の屈折力配置はテレフォト型に近くなり、結像光学系全体の全長を抑制するために好都合である。
【００７２】
また、第１レンズ群の像側には開口絞りがあって、全ての画角の光束が集中するために第１レンズ群の最も像側のエレメントは偏芯が発生した場合の収差変化の感度が大きくなりやすい傾向がある。第１レンズ群の最も像側に、条件式４を満たして偏芯時の収差変化の感度を抑制した接合レンズＤＢ１を配置することにより、製造誤差による性能の低下を抑えることが出来る。
【００７３】
さらに、本発明の防振機構を備えた結像光学系は条件式６を満たすことが望ましい。本発明の防振機構を備えた結像光学系が満たす条件式６は、第３レンズ群Ｇ３における少なくとも１枚ずつの負レンズと正レンズの屈折率に関して、フォーカシングに伴う収差変動を抑制するために好ましい条件を規定するものである。より屈折力の大きい第２レンズ群Ｇ２の収差変動を打ち消すためには、第３レンズ群Ｇ３は屈折力に対して収差の発生を大きくする必要がある。
【００７４】
条件式６の下限を下回って第３レンズ群Ｇ３内の少なくとも１枚の負レンズの屈折率が低くなると、第３レンズ群Ｇ３内の負レンズの発生させるコマ収差、歪曲が大きくなって性能低下の原因となり、また偏芯による収差変動が大きくなって製造時の性能が低下してしまう。一方、条件式６の上限を上回って第３レンズ群Ｇ３内の少なくとも１枚の負レンズの屈折率が高くなると、コマ収差、歪曲の発生が小さくなるため、フォーカシングに伴う収差変動の抑制が難しくなる。
【００７５】
なお、上述した条件式６について、その下限値を０．８５０とすることで、前述の効果をより確実にすることができる。また、上限値を０．９８５、またさらに０．９００とすることで、前述の効果をより確実にすることができる。
【００７６】
さらに本発明の防振機構を備えた結像光学系では、第３レンズ群Ｇ３の最も像側に正レンズを有する構成とすることが望ましい。前述のように負の屈折力の第３レンズ群Ｇ３は射出瞳を像側に移動させ、画像周辺部における主光線の射出角が大きくなりがちである。これを解消するために、第３レンズ群Ｇ３の最も像側に正レンズを配置することで、正レンズのパワーを弱くして収差の発生を抑制しながら主光線射出角を抑制することが出来る。
【００７７】
さらに本発明の防振機構を備えた結像光学系では、 第３レンズ群Ｇ３に含まれる負レンズを１枚とする構成が望ましい。第３レンズ群Ｇ３において第２レンズ群Ｇ２の移動に伴う収差変動を打ち消すためには、第３レンズ群Ｇ３中の負レンズはある程度収差の発生を大きくする必要がある。そのためには第３レンズ群Ｇ３中の負レンズを少なくすることが好ましく、１枚にて構成することが最も好ましい。すなわち、３ａ群Ｇ３ａを１枚の負レンズより構成することが最も好ましい。
これは構成枚数の削減にもつながり、結像光学系全体の小型化において有利となる。
さらに３ａ群Ｇ３ａは防振群であり、３ａ群Ｇ３ａを１枚で構成することにより防振群を軽量化できるので、アクチュエータの小型化が可能で鏡筒全体の小型化に寄与する。
【００７８】
さらに本発明の防振機構を備えた結像光学系では、第２レンズ群Ｇ２は物体側から順に物体側に凹面を向けた負レンズと像側に凸面を向けた正レンズの２枚のレンズからなる接合レンズＤＢ２と両凸形状の正レンズのみからなることが望ましい。
【００７９】
前述のように光線射出角を抑制し、フォーカシングに必要な屈折力を付与しながら十分に収差を補正するために、物体側から順に接合レンズＤＢ２と両凸レンズを有することが望ましい。より構成枚数を増やすと第２レンズ群の収差補正には有利になるが、第２レンズ群の重量の増加を招き、本発明の目的の一つであるフォーカス群の軽量化が達成困難となる。
【００８０】
本発明の防振機構を備えた結像光学系では、以下の構成を伴うことが、本発明の結像光学系の高性能化により効果的である。
【００８１】
フォーカシングに伴う収差変動を抑制するために、第２レンズ群Ｇ２のいずれか１つまたは複数の面を非球面とし、第２レンズ群Ｇ２での収差発生を抑制する構成とするとより望ましい。
【００８２】
どの面を非球面としても補正効果を得られるが、第２レンズ群Ｇ２の物体側寄りの面ほどコマ収差の補正に効果を発揮し、第２レンズ群Ｇ２の像側寄りの面ほど非点収差や歪曲収差の補正に効果を発揮する傾向がある。第２レンズ群Ｇ２内の面は面精度によって球面収差やコマ収差が変化しやすいため、精度良く製造しやすい両凸形状の正レンズのいずれかの面を非球面とする構成とするとより望ましい。
【００８３】
また、第１レンズ群Ｇ１や第３レンズ群Ｇ３にさらに非球面を導入することで、非点収差等の補正をより良好に行える。
【実施例１】
【００８４】
図１は、本発明の実施例１の防振機構を備えた結像光学系のレンズ構成図である。
【００８５】
第１レンズ群Ｇ１は、物体側に凸面を向けた正レンズＬ１と像側に凹面を向けた負レンズＬ２とから成る接合レンズＤＢ１で構成されており、全体として正の屈折力を持っている。
【００８６】
第２レンズ群Ｇ２は、物体側に凹面を向けた負レンズＬ３と像側に凸面を向けた正レンズＬ４とから成る接合レンズＤＢ２と、両凸形状の正レンズＬ５とで構成されており、全体として正の屈折力を持っている。この第２レンズ群Ｇ２は、無限遠から近距離へのフォーカシングに際して光軸に沿って物体側に移動する。
【００８７】
第３レンズ群Ｇ３は、両凹形状の負レンズＬ６で構成される負の屈折力の３ａ群Ｇ３ａと、両凸形状の正レンズＬ７で構成される正の屈折力の３ｂ群Ｇ３ｂとで構成されており、全体として負の屈折力を持っている。この３ａ群Ｇ３ａは光軸と直交する方向に移動することで防振を行っている。
【００８８】
また、正レンズＬ５の像側レンズ面と正レンズＬ７の像側レンズ面は、それぞれ所定の非球面形状となっている。
【実施例２】
【００８９】
図８は、本発明の実施例２の防振機構を備えた結像光学系のレンズ構成図である。
【００９０】
第１レンズ群Ｇ１は、物体側に凸面を向けた正レンズＬ１と像側に凹面を向けた負レンズＬ２とから成る接合レンズＤＢ１で構成されており、全体として正の屈折力を持っている。
【００９１】
第２レンズ群Ｇ２は、物体側に凹面を向けた負レンズＬ３と像側に凸面を向けた正レンズＬ４とから成る接合レンズＤＢ２と、両凸形状の正レンズＬ５とで構成されており、全体として正の屈折力を持っている。この第２レンズ群Ｇ２は、無限遠から近距離へのフォーカシングに際して光軸に沿って物体側に移動する。
【００９２】
第３レンズ群Ｇ３は、両凹形状の負レンズＬ６で構成される負の屈折力の３ａ群Ｇ３ａと、両凸形状の正レンズＬ７で構成される正の屈折力の３ｂ群Ｇ３ｂとで構成されており、全体として負の屈折力を持っている。この３ａ群Ｇ３ａは光軸と直交する方向に移動することで防振を行っている。
【００９３】
また、正レンズＬ５の像側レンズ面は所定の非球面形状となっている。
【実施例３】
【００９４】
図１５は、本発明の実施例３の防振機構を備えた結像光学系のレンズ構成図である。
【００９５】
第１レンズ群Ｇ１は、物体側に凸面を向けた正レンズＬ１と像側に凹面を向けた負レンズＬ２とから成る接合レンズＤＢ１で構成されており、全体として正の屈折力を持っている。
【００９６】
第２レンズ群Ｇ２は、物体側に凹面を向けた負レンズＬ３と像側に凸面を向けた正レンズＬ４とから成る接合レンズＤＢ２と、両凸形状の正レンズＬ５とで構成されており、全体として正の屈折力を持っている。この第２レンズ群Ｇ２は、無限遠から近距離へのフォーカシングに際して光軸に沿って物体側に移動する。
【００９７】
第３レンズ群Ｇ３は、両凹形状の負レンズＬ６で構成される負の屈折力の３ａ群Ｇ３ａと、両凸形状の正レンズＬ７で構成される正の屈折力の３ｂ群Ｇ３ｂとで構成されており、全体として負の屈折力を持っている。この３ａ群Ｇ３ａは光軸と直交する方向に移動することで防振を行っている。
【００９８】
また、正レンズＬ４の像側レンズ面は所定の非球面形状となっている。
【実施例４】
【００９９】
図２２は、本発明の実施例４の防振機構を備えた結像光学系のレンズ構成図である。
【０１００】
第１レンズ群Ｇ１は、物体側に凸面を向けたメニスカス形状の負レンズＬ１と、物体側に凸面を向けた正レンズＬ２と像側に凹面を向けた負レンズＬ３とから成る接合レンズＤＢ１で構成されており、全体として正の屈折力を持っている。
【０１０１】
第２レンズ群Ｇ２は、物体側に凹面を向けた負レンズＬ４と像側に凸面を向けた正レンズＬ５とから成る接合レンズＤＢ２と、両凸形状の正レンズＬ６とで構成されており、全体として正の屈折力を持っている。この第２レンズ群Ｇ２は、無限遠から近距離へのフォーカシングに際して光軸に沿って物体側に移動する。
【０１０２】
第３レンズ群Ｇ３は、両凹形状の負レンズＬ７で構成される負の屈折力の３ａ群Ｇ３ａと、両凸形状の正レンズＬ８で構成される正の屈折力の３ｂ群Ｇ３ｂとで構成されており、全体として負の屈折力を持っている。この３ａ群Ｇ３ａは光軸と直交する方向に移動することで防振を行っている。
【０１０３】
また、正レンズＬ５の像側レンズ面は所定の非球面形状となっている。
【実施例５】
【０１０４】
図２９は、本発明の実施例５の防振機構を備えた結像光学系のレンズ構成図である。
【０１０５】
第１レンズ群Ｇ１は、物体側に凸面を向けたメニスカス形状の正レンズＬ１と、物体側に凸面を向けた正レンズＬ２と像側に凹面を向けた負レンズＬ３とから成る接合レンズＤＢ１で構成されており、全体として正の屈折力を持っている。
【０１０６】
第２レンズ群Ｇ２は、物体側に凹面を向けた負レンズＬ４と像側に凸面を向けた正レンズＬ５とから成る接合レンズＤＢ２と、両凸形状の正レンズＬ６とで構成されており、全体として正の屈折力を持っている。この第２レンズ群Ｇ２は、無限遠から近距離へのフォーカシングに際して光軸に沿って物体側に移動する。
【０１０７】
第３レンズ群Ｇ３は、物体側に凸面を向けたメニスカス形状の負レンズＬ７で構成される負の屈折力の３ａ群Ｇ３ａと、両凸形状の正レンズＬ８で構成される正の屈折力の３ｂ群Ｇ３ｂとで構成されており、全体として負の屈折力を持っている。この３ａ群Ｇ３ａは光軸と直交する方向に移動することで防振を行っている。
【０１０８】
また、正レンズＬ１の物体側レンズ面と正レンズＬ５の像側レンズ面は、それぞれ所定の非球面形状となっている。
【実施例６】
【０１０９】
図３６は、本発明の実施例６の防振機構を備えた結像光学系のレンズ構成図である。
【０１１０】
第１レンズ群Ｇ１は、物体側に凸面を向けた正レンズＬ１と像側に凹面を向けた負レンズＬ２とから成る接合レンズＤＢ１で構成されており、全体として正の屈折力を持っている。
【０１１１】
第２レンズ群Ｇ２は、物体側に凹面を向けた負レンズＬ３と像側に凸面を向けた正レンズＬ４とから成る接合レンズＤＢ２と、両凸形状の正レンズＬ５とで構成されており、全体として正の屈折力を持っている。この第２レンズ群Ｇ２は、無限遠から近距離へのフォーカシングに際して光軸に沿って物体側に移動する。
【０１１２】
第３レンズ群Ｇ３は、物体側に凸面を向けたメニスカス形状の負レンズＬ６で構成される負の屈折力の３ａ群Ｇ３ａと、両凸形状の正レンズＬ７で構成される正の屈折力の３ｂ群Ｇ３ｂとで構成されており、全体として負の屈折力を持っている。この３ａ群Ｇ３ａは光軸と直交する方向に移動することで防振を行っている。
【０１１３】
また、正レンズＬ５の像側レンズ面と正レンズＬ７の像側レンズ面は、それぞれ所定の非球面形状となっている。
【実施例７】
【０１１４】
図４３は、本発明の実施例７の防振機構を備えた結像光学系のレンズ構成図である。
【０１１５】
第１レンズ群Ｇ１は、物体側に凸面を向けた正レンズＬ１と像側に凹面を向けた負レンズＬ２とから成る接合レンズＤＢ１で構成されており、全体として正の屈折力を持っている。
【０１１６】
第２レンズ群Ｇ２は、物体側に凹面を向けた負レンズＬ３と像側に凸面を向けた正レンズＬ４とから成る接合レンズＤＢ２と、両凸形状の正レンズＬ５とで構成されており、全体として正の屈折力を持っている。この第２レンズ群Ｇ２は、無限遠から近距離へのフォーカシングに際して光軸に沿って物体側に移動する。
【０１１７】
第３レンズ群Ｇ３は、両凹形状の負レンズＬ６で構成される負の屈折力の３ａ群Ｇ３ａと、両凸形状の正レンズＬ７で構成される正の屈折力の３ｂ群Ｇ３ｂとで構成されており、全体として負の屈折力を持っている。この３ａ群Ｇ３ａは光軸と直交する方向に移動することで防振を行っている。
【０１１８】
また、正レンズＬ５の像側レンズ面と正レンズＬ７の像側レンズ面は、それぞれ所定の非球面形状となっている。
【実施例８】
【０１１９】
図５０は、本発明の実施例８の防振機構を備えた結像光学系のレンズ構成図である。
【０１２０】
第１レンズ群Ｇ１は、物体側に凸面を向けた正レンズＬ１と像側に凹面を向けた負レンズＬ２とから成る接合レンズＤＢ１で構成されており、全体として正の屈折力を持っている。
【０１２１】
第２レンズ群Ｇ２は、物体側に凹面を向けた負レンズＬ３と像側に凸面を向けた正レンズＬ４とから成る接合レンズＤＢ２と、両凸形状の正レンズＬ５とで構成されており、全体として正の屈折力を持っている。この第２レンズ群Ｇ２は、無限遠から近距離へのフォーカシングに際して光軸に沿って物体側に移動する。
【０１２２】
第３レンズ群Ｇ３は、両凹形状の負レンズＬ６で構成される負の屈折力の３ａ群Ｇ３ａと、両凸形状の正レンズＬ７で構成される正の屈折力の３ｂ群Ｇ３ｂとで構成されており、全体として負の屈折力を持っている。この３ａ群Ｇ３ａは光軸と直交する方向に移動することで防振を行っている。
【０１２３】
また、正レンズＬ５の像側レンズ面と正レンズＬ７の像側レンズ面は、それぞれ所定の非球面形状となっている。
【実施例９】
【０１２４】
図５７は、本発明の実施例９の防振機構を備えた結像光学系のレンズ構成図である。
【０１２５】
第１レンズ群Ｇ１は、物体側に凸面を向けたメニスカス形状の負レンズＬ１と、物体側に凸面を向けた正レンズＬ２と像側に凹面を向けた負レンズＬ３とから成る接合レンズＤＢ１で構成されており、全体として正の屈折力を持っている。
【０１２６】
第２レンズ群Ｇ２は、物体側に凹面を向けた負レンズＬ４と像側に凸面を向けた正レンズＬ５とから成る接合レンズＤＢ２と、両凸形状の正レンズＬ６とで構成されており、全体として正の屈折力を持っている。この第２レンズ群Ｇ２は、無限遠から近距離へのフォーカシングに際して光軸に沿って物体側に移動する。
【０１２７】
第３レンズ群Ｇ３は、両凹形状の負レンズＬ７で構成される負の屈折力の３ａ群Ｇ３ａと、両凸形状の正レンズＬ８で構成される正の屈折力の３ｂ群Ｇ３ｂとで構成されており、全体として負の屈折力を持っている。この３ａ群Ｇ３ａは光軸と直交する方向に移動することで防振を行っている。
【０１２８】
また、正レンズＬ６の物体側レンズ面と正レンズＬ８の像側レンズ面は、それぞれ所定の非球面形状となっている。
【実施例１０】
【０１２９】
図６４は、本発明の実施例１０の防振機構を備えた結像光学系のレンズ構成図である。
【０１３０】
第１レンズ群Ｇ１は、物体側に凸面を向けた正レンズＬ１と像側に凹面を向けた負レンズＬ２とから成る接合レンズＤＢ１で構成されており、全体として正の屈折力を持っている。
【０１３１】
第２レンズ群Ｇ２は、物体側に凹面を向けた負レンズＬ３と像側に凸面を向けた正レンズＬ４とから成る接合レンズＤＢ２と、両凸形状の正レンズＬ５とで構成されており、全体として正の屈折力を持っている。この第２レンズ群Ｇ２は、無限遠から近距離へのフォーカシングに際して光軸に沿って物体側に移動する。
【０１３２】
第３レンズ群Ｇ３は、両凹形状の負レンズＬ６で構成される負の屈折力の３ａ群Ｇ３ａと、両凸形状の正レンズＬ７で構成される正の屈折力の３ｂ群Ｇ３ｂとで構成されており、全体として負の屈折力を持っている。この３ａ群Ｇ３ａは光軸と直交する方向に移動することで防振を行っている。
【０１３３】
また、正レンズＬ５の像側レンズ面と正レンズＬ７の像側レンズ面は、それぞれ所定の非球面形状となっている。
【実施例１１】
【０１３４】
図７１は、本発明の実施例１１の防振機構を備えた結像光学系のレンズ構成図である。
【０１３５】
第１レンズ群Ｇ１は、物体側に凸面を向けた正レンズＬ１と像側に凹面を向けた負レンズＬ２とから成る接合レンズＤＢ１で構成されており、全体として正の屈折力を持っている。
【０１３６】
第２レンズ群Ｇ２は、物体側に凹面を向けた負レンズＬ３と像側に凸面を向けた正レンズＬ４とから成る接合レンズＤＢ２と、両凸形状の正レンズＬ５とで構成されており、全体として正の屈折力を持っている。この第２レンズ群Ｇ２は、無限遠から近距離へのフォーカシングに際して光軸に沿って物体側に移動する。
【０１３７】
第３レンズ群Ｇ３は、両凹形状の負レンズＬ６で構成される負の屈折力の３ａ群Ｇ３ａと、両凸形状の正レンズＬ７と両凸形状の正レンズＬ８とで構成される正の屈折力の３ｂ群Ｇ３ｂとで構成されており、全体として負の屈折力を持っている。この３ａ群Ｇ３ａは光軸と直交する方向に移動することで防振を行っている。
【０１３８】
また、正レンズＬ５の像側レンズ面は所定の非球面形状となっている。
【実施例１２】
【０１３９】
図７８は、本発明の実施例１２の結像光学系のレンズ構成図である。
【０１４０】
第１レンズ群Ｇ１は、物体側に凸面を向けたメニスカス形状の正レンズＬ１と、物体側に凸面を向けたメニスカス形状の正レンズＬ２と像側に凹面を向けたメニスカス形状の負レンズＬ３とから成る接合レンズと、物体側に凸面を向けた正レンズＬ４と像側に凹面を向けた負レンズＬ５とから成る接合レンズＤＢ１で構成されており、全体として正の屈折力を持っている。
【０１４１】
第２レンズ群Ｇ２は、物体側に凹面を向けた負レンズＬ６と像側に凸面を向けた正レンズＬ７とから成る接合レンズＤＢ２と、両凸形状の正レンズＬ８とで構成されており、全体として正の屈折力を持っている。この第２レンズ群Ｇ２は、無限遠から近距離へのフォーカシングに際して光軸に沿って物体側に移動する。
【０１４２】
第３レンズ群Ｇ３は、両凹形状の負レンズＬ９で構成される負の屈折力の３ａ群Ｇ３ａと、物体側に凸面を向けたメニスカス形状の正レンズＬ１０で構成される正の屈折力の３ｂ群とで構成されており、全体として負の屈折力を持っている。この３ａ群Ｇ３ａは光軸と直交する方向に移動することで防振を行っている。
【０１４３】
また、正レンズＬ８の像側レンズ面は所定の非球面形状となっている。
【実施例１３】
【０１４４】
図８５は、本発明の実施例１３の結像光学系のレンズ構成図である。
【０１４５】
第１レンズ群Ｇ１は、物体側に凸面を向けたメニスカス形状の正レンズＬ１と、物体側に凸面を向けたメニスカス形状の正レンズＬ２と像側に凹面を向けたメニスカス形状の負レンズＬ３とから成る接合レンズと、物体側に凸面を向けた正レンズＬ４と像側に凹面を向けた負レンズＬ５とから成る接合レンズＤＢ１で構成されており、全体として正の屈折力を持っている。
【０１４６】
第２レンズ群Ｇ２は、物体側に凹面を向けた負レンズＬ６と像側に凸面を向けた正レンズＬ７とから成る接合レンズＤＢ２と、両凸形状の正レンズＬ８とで構成されており、全体として正の屈折力を持っている。この第２レンズ群Ｇ２は、無限遠から近距離へのフォーカシングに際して光軸に沿って物体側に移動する。
【０１４７】
第３レンズ群Ｇ３は、両凹形状の負レンズＬ９で構成される負の屈折力の３ａ群Ｇ３ａと、両凸レンズＬ１０で構成される正の屈折力の３ｂ群とで構成されており、全体として負の屈折力を持っている。この３ａ群Ｇ３ａは光軸と直交する方向に移動することで防振を行っている。
【０１４８】
また、正レンズＬ８の像側レンズ面は所定の非球面形状となっている。
【実施例１４】
【０１４９】
図９２は、本発明の実施例１４の結像光学系のレンズ構成図である。
【０１５０】
第１レンズ群Ｇ１は、物体側に凸面を向けたメニスカス形状の正レンズＬ１と、物体側に凸面を向けた正レンズＬ２と像側に凹面を向けた負レンズＬ３とから成る接合レンズＤＢ１で構成されており、全体として正の屈折力を持っている。
【０１５１】
第２レンズ群Ｇ２は、物体側に凹面を向けた負レンズＬ４と像側に凸面を向けた正レンズＬ５とから成る接合レンズＤＢ２と、両凸形状の正レンズＬ６とで構成されており、全体として正の屈折力を持っている。この第２レンズ群Ｇ２は、無限遠から近距離へのフォーカシングに際して光軸に沿って物体側に移動する。
【０１５２】
第３レンズ群Ｇ３は、両凹形状の負レンズＬ７で構成される負の屈折力の３ａ群Ｇ３ａと、両凸レンズＬ８で構成される正の屈折力の３ｂ群とで構成されており、全体として負の屈折力を持っている。この３ａ群Ｇ３ａは、光軸と直交する方向に移動することで防振を行っている。
【０１５３】
また、正レンズＬ６の像側レンズ面は所定の非球面形状となっている。
【０１５４】
以下に、前述した各実施例に対応する数値実施例の具体的な数値データを示す。各数値実施例の［全体諸元］において、ｆは焦点距離、ＦｎｏはＦナンバー、２ωは全画角を示す。［レンズ諸元］において、第１列の番号は物体側からのレンズ面番号、第２列のｒは各レンズ面の曲率半径、第３列のｄはレンズ面間隔、第４列のｎｄはｄ線（波長５８７．５６ｎｍ）に対する屈折率、νｄはｄ線（波長５８７．５６ｎｍ）に対するアッベ数を示している。
【０１５５】
第１列のレンズ面番号に付した＊（アスタリスク）は、そのレンズ面形状が非球面であることを示している。第２列の「開口絞り」は絞り面位置を表し、第３列のＢｆはバックフォーカスを表す。
【０１５６】
［可変間隔］はフォーカシングにおける各可変間隔の値を示している。
【０１５７】
［非球面係数］は、［レンズ諸元］において＊を付したレンズ面の非球面形状を与える非球面係数を示している。非球面の形状は、光軸に直行する方向への光軸からの変位をｙ、非球面と光軸の交点から光軸方向への変位（サグ量）をｚ、基準球面の曲率半径をｒ、コーニック係数をＫ、４、６、８、１０次の非球面係数をＡ４、Ａ６、Ａ８、Ａ１０と置くとき、非球面の座標が以下の式で表されるものとする。
【０１５８】
0005714535.tif 000002
【０１５９】
なお、以下の全ての諸元の値において、記載している焦点距離ｆ、曲率半径ｒ、レンズ面間隔ｄ、その他の長さの単位は特記のない限りミリ（ｍｍ）を使用するが、光学系では比例拡大と比例縮小とにおいても同等の光学性能が得られるので、これに限られるものではない。
【０１６０】
また、以下に前述した各実施例における条件式の値の一覧を示す。
【０１６１】
実施例１
[全体諸元]
撮影距離             INF
f                      30.83
Fno                     2.89
2ω                    50.49
[レンズ諸元]
r           d           nd         νd
[1]                  17.7672      3.1821     1.88300       40.80
[2]               -1000.0000      0.8000     1.58144       40.89
[3]                  12.9742      2.6198
[4]                 開口絞り          d4
[5]                 -10.0295      0.8000     1.69895       30.05
[6]                  58.7192      3.8254     1.80420       46.50
[7]                 -15.7253      0.1500
[8]                  47.8215      3.6590     1.77250       49.62
* [9]                 -27.3923          d9
[10]                -97.3976      1.0000     1.56732       42.84
[11]                 24.1411      4.4473
[12]                 88.7361      2.8926     1.77250       49.62
* [13]                -67.2193          Bf
*:非球面
[可変間隔]
撮影距離              d4          d9          Bf
INF                6.9859      1.5000        20.4045
500mm              5.6552      2.8307        20.4045
[非球面係数]
9面           13面
A4                1.68830E-05   9.50840E-08
A6               -6.94468E-09  -5.47977E-09
A8                2.50342E-11   2.45567E-11
A10               0.00000E+00   0.00000E+00
【０１６２】
実施例２
[全体諸元]
撮影距離             INF
f                      30.92
Fno                     2.91
2ω                    50.28
[レンズ諸元]
r           d           nd         νd
[1]                  17.8828      3.0675     1.88300       40.80
[2]                -466.4970      0.8000     1.58144       40.89
[3]                  13.0047      2.5427
[4]                 開口絞り          d4
[5]                 -10.2042      0.8000     1.67270       32.17
[6]                  36.9328      3.9392     1.80420       46.50
[7]                 -16.8128      0.1500
[8]                  50.1843      3.5110     1.77250       49.62
* [9]                 -26.8479          d9
[10]                -80.8366      1.0000     1.60342       38.01
[11]                 25.2151      4.5111
[12]                101.7470      2.8930     1.80420       46.50
[13]                -60.0440          Bf
*:非球面
[可変間隔]
撮影距離              d4          d9          Bf
INF                6.7985      1.5000        20.6687
500mm              5.5178      2.7807        20.6688
[非球面係数]
9面
A4                2.03217E-05
A6               -1.99227E-08
A8                1.55204E-10
A10               0.00000E+00
【０１６３】
実施例３
[全体諸元]
撮影距離             INF
f                      30.81
Fno                     2.90
2ω                    50.43
[レンズ諸元]
r           d           nd         νd
[1]                  16.3182      3.1496     1.88300       40.80
[2]                1000.0000      0.8500     1.60342       38.01
[3]                  11.9440      2.1808
[4]                 開口絞り          d4
[5]                 -10.2428      0.8500     1.67270       32.17
[6]                 100.7580      3.7977     1.77250       49.62
* [7]                 -15.0281      0.1500
[8]                  55.9362      3.2307     1.83481       42.72
[9]                 -36.4658          d9
[10]                -64.6517      1.0000     1.67270       32.17
[11]                 29.6972      2.9631
[12]                216.4930      3.6631     1.77250       49.62
[13]                -31.3466          Bf
*:非球面
[可変間隔]
撮影距離              d4          d9          Bf
INF                6.8178      2.9737        20.7178
500mm              5.2020      4.5895        20.7178
[非球面係数]
7面
A4                1.07514E-05
A6                7.51773E-08
A8                0.00000E+00
A10               0.00000E+00
【０１６４】
実施例４
[全体諸元]
撮影距離             INF
f                      30.91
Fno                     2.91
2ω                    50.28
[レンズ諸元]
r           d           nd         νd
[1]                  21.1515      1.0000     1.51742       52.15
[2]                  14.2703      2.8609
[3]                  16.3026      3.8285     1.80420       46.50
[4]                 -79.9177      1.0332     1.54814       45.82
[5]                  13.8102      2.8556
[6]                 開口絞り          d6
[7]                 -11.0738      0.8500     1.60342       38.01
[8]                  34.1395      3.5895     1.77250       49.62
* [9]                 -19.3756      0.1500
[10]                 118.722      3.5280     1.72916       54.67
[11]                -22.6131         d11
[12]                -46.4782      1.0000     1.67270       32.17
[13]                 33.6717      2.0043
[14]                 155.728      3.4080     1.80420       46.50
[15]                -32.2286          Bf
*:非球面
[可変間隔]
撮影距離              d6         d11           Bf
INF                6.7621      1.5000        25.3043
500mm              5.0986      3.1635        25.3042
[非球面係数]
9面
A4                2.11124E-05
A6                1.22452E-07
A8                0.00000E+00
A10               0.00000E+00
【０１６５】
実施例５
[全体諸元]
撮影距離             INF
f                      30.77
Fno                     2.47
2ω                    50.43
[レンズ諸元]
r           d           nd         νd
* [1]                  30.4647      2.0493     1.80610       40.73
[2]                  70.7560      1.6595
[3]                  45.0084      2.6177     1.88300       40.80
[4]                 -45.0084      1.0353     1.60342       38.01
[5]                  16.3355      1.9370
[6]                 開口絞り          d6
[7]                 -10.1505      1.0665     1.67270       32.17
[8]                1000.0000      4.8298     1.77250       49.62
* [9]                 -14.1058      0.1500
[10]                 41.3218      3.8985     1.80420       46.50
[11]                -55.6171         d11
[12]                330.7410      1.0000     1.64769       33.84
[13]                 22.4954      1.5801
[14]                 47.0046      3.0802     1.72916       54.67
[15]               -132.7210          Bf
*:非球面
[可変間隔]
撮影距離              d6         d11          Bf
INF                8.2303      1.5000        22.7049
500mm              6.6333      3.0970        22.7049
[非球面係数]
1面           9面
A4               -5.37530E-06   6.75573E-06
A6               -1.74772E-08  -1.94113E-08
A8                0.00000E+00   5.96039E-10
A10               0.00000E+00   0.00000E+00
【０１６６】
実施例６
[全体諸元]
撮影距離             INF
f                      30.60
Fno                     2.47
2ω                    50.72
[レンズ諸元]
r           d           nd         νd
[1]                  20.4321      3.6701     1.88300       40.80
[2]                1969.5900      1.2000     1.60342       38.01
[3]                  14.1396      3.9679
[4]                 開口絞り          d4
[5]                 -10.2071      0.8500     1.64769       33.84
[6]                  31.0579      4.9674     1.80420       46.50
[7]                 -19.4887      0.1500
[8]                  49.8435      4.6667     1.77250       49.62
* [9]                 -24.8436          d9
[10]                 73.6332      1.0000     1.71736       29.50
[11]                 23.1034      2.5618
[12]                 69.7780      2.0789     1.77250       49.62
* [13]               -875.8660          Bf
*:非球面
[可変間隔]
撮影距離              d4          d9          Bf
INF                8.0709      1.5000        22.6437
500mm              6.7216      2.8493        22.6437
[非球面係数]
9面           13面
A4                2.64598E-05  -8.41610E-07
A6               -1.67129E-09   2.18423E-08
A8                5.88092E-11   4.26137E-13
A10               0.00000E+00   0.00000E+00
【０１６７】
実施例７
[全体諸元]
撮影距離             INF
f                      28.77
Fno                     2.91
2ω                    53.60
[レンズ諸元]
r           d           nd         νd
[1]                  18.3732      3.0553     1.88300       40.80
[2]               -1225.7800      0.8000     1.56732       42.84
[3]                  12.9748      2.7044
[4]                 開口絞り          d4
[5]                  -9.7411      0.8000     1.72825       28.32
[6]                  95.1258      4.3138     1.80420       46.50
[7]                 -14.9218      0.1500
[8]                  43.1304      4.3678     1.77250       49.62
* [9]                 -28.8136          d9
[10]               -248.3050      1.0000     1.56732       42.84
[11]                 24.5497      2.9966
[12]                 96.4861      2.6302     1.77250       49.62
* [13]                -73.0893          Bf
*:非球面
[可変間隔]
撮影距離              d4          d9          Bf
INF                7.4725      1.5000        20.5277
500mm              6.1644      2.8081        20.5277
[非球面係数]
9面           13面
A4                1.46389E-05   3.05823E-06
A6               -1.48270E-08   3.48667E-09
A8                3.04390E-11   1.21760E-10
A10               0.00000E+00   0.00000E+00
【０１６８】
実施例８
[全体諸元]
撮影距離             INF
f                      36.83
Fno                     2.92
2ω                    42.87
[レンズ諸元]
r           d           nd         νd
[1]                  18.7768      3.8986     1.88300       40.80
[2]                 147.9180      1.2000     1.60342       38.01
[3]                  14.1942      3.1885
[4]                 開口絞り          d4
[5]                 -11.6016      1.1500     1.71736       29.50
[6]                  67.9589      3.7918     1.80420       46.50
[7]                 -18.8419      0.4530
[8]                  67.6991      4.0561     1.77250       49.62
* [9]                 -28.8070          d9
[10]               -471.2120      1.0000     1.51742       52.15
[11]                 27.0408      2.6038
[12]                122.6210      2.4355     1.77250       49.62
* [13]                -92.8949          Bf
*:非球面
[可変間隔]
撮影距離              d4          d9          Bf
INF                8.4761      3.2528        24.1734
500mm              6.1681      5.5609        24.1734
[非球面係数]
9面           13面
A4                1.13631E-05  -1.10755E-06
A6                5.04777E-09  -3.33029E-09
A8                0.00000E+00   0.00000E+00
A10               0.00000E+00   0.00000E+00
【０１６９】
実施例９
[全体諸元]
撮影距離             INF
f                      24.72
Fno                     2.90
2ω                    60.91
[レンズ諸元]
r           d           nd         νd
[1]                  34.3141      1.0000     1.49700       81.61
[2]                  14.0764      4.5148
[3]                  27.8352      2.6364     1.80420       46.50
[4]                 -32.4074      0.8000     1.51742       52.15
[5]                  51.1758      1.2119
[6]                 開口絞り          d6
[7]                 -10.4135      1.1500     1.76182       26.61
[8]                -811.4690      4.3029     1.80420       46.50
[9]                 -14.9803      0.1500
[10]                103.7640      4.2389     1.75501       51.16
* [11]                -20.0298         d11
[12]               -125.3740      1.0000     1.60342       38.01
[13]                 33.9463      0.9100
[14]                 68.7625      1.8898     1.77250       49.62
* [15]              -1092.8400          Bf
*:非球面
[可変間隔]
撮影距離              d6         d11          Bf
INF                7.6621      1.5000        23.7560
500mm              6.8124      2.3497        23.7560
[非球面係数]
11面          15面
A4                2.88489E-05  -1.33539E-06
A6               -1.34435E-08   4.43316E-08
A8                0.00000E+00   1.70897E-10
A10               0.00000E+00  -4.28211E-14
【０１７０】
実施例１０
[全体諸元]
撮影距離             INF
f                      38.82
Fno                     2.92
2ω                    40.96
[レンズ諸元]
r           d           nd         νd
[1]                  18.7363      3.8808     1.88300       40.80
[2]                 176.1670      1.2000     1.60342       38.01
[3]                  14.3179      2.8894
[4]                 開口絞り          d4
[5]                 -12.5113      1.1500     1.69895       30.05
[6]                  50.5350      3.3293     1.80420       46.50
[7]                 -21.1597      1.3982
[8]                  70.6099      3.2915     1.77250       49.62
* [9]                 -28.4884          d9
[10]                -88.6725      1.0000     1.51742       52.15
[11]                 29.4400      2.6671
[12]                110.3830      2.3688     1.77250       49.62
* [13]                -83.6235          Bf
*:非球面
[可変間隔]
撮影距離              d4          d9          Bf
INF                7.7649      1.9800        26.8193
500mm              5.4180      4.3269        26.8194
[非球面係数]
9面           13面
A4                1.29698E-05  -2.20389E-06
A6                5.07127E-09  -7.24219E-09
A8                0.00000E+00   0.00000E+00
A10               0.00000E+00   0.00000E+00
【０１７１】
実施例１１
[全体諸元]
撮影距離             INF
f                      30.81
Fno                     2.91
2ω                    50.52
[レンズ諸元]
r           d           nd         νd
[1]                  17.6398      3.1831     1.88300       40.80
[2]                -661.0788      0.8000     1.58144       40.89
[3]                  12.8754      2.5733
[4]                 開口絞り          d4
[5]                  -9.9833      0.8000     1.69895       30.05
[6]                  54.4546      3.8772     1.80420       46.50
[7]                 -15.5512      0.1500
[8]                  44.9191      3.6762     1.77250       49.62
* [9]                 -28.2894          d9
[10]                -94.3498      1.0000     1.54814       45.82
[11]                 23.4326      4.2896
[12]                103.2251      2.0675     1.71300       53.94
[13]               -200.0487      0.1500
[14]                596.8248      1.9200     1.71300       53.94
[15]                -91.3509          Bf
*:非球面
[可変間隔]
撮影距離              d4          d9          Bf
INF                6.9886      1.2000        19.8474
500mm              5.6980      2.4906        19.8474
[非球面係数]
9面
A4                1.66558E-05
A6               -1.50233E-08
A8                9.05044E-11
A10               0.00000E+00
【０１７２】
実施例１２
[全体諸元]
撮影距離                INF
f                      49.97
Fno                     2.91
2ω                    31.29
[レンズ諸元]
r           d           nd          vd
[1]                  25.5676      3.2132     1.91082       35.25
[2]                  76.6739      0.1500
[3]                  18.6018      3.0735     1.88100       40.14
[4]                  25.1540      0.8500     1.69895       30.05
[5]                  14.0047      1.1254
[6]                  18.1926      2.8366     1.49700       81.61
[7]                 471.3847      0.8500     1.76182       26.61
[8]                  16.2708      3.5236
[9]                 開口絞り          d9
[10]                -13.3018      0.8500     1.61293       36.96
[11]                 45.3569      3.3222     1.77250       49.62
[12]                -34.6306      0.1500
[13]                 88.7278      4.3443     1.77250       49.47
* [14]                -21.7125         d14
[15]                -65.7271      0.8500     1.72916       54.67
[16]                 56.2018      1.7879
[17]                 57.3786      2.2311     1.80518       25.46
[18]               1000.0000          Bf
*:非球面
[可変間隔]
撮影距離                d9         d14          Bf
INF                  11.1929      1.2000     18.0523
800mm                 8.3863      4.0066     18.0523
[非球面係数]
14面
A4                2.14963E-05
A6                1.81277E-08
A8                0.00000E+00
A10               0.00000E+00
【０１７３】
実施例１３
[全体諸元]
撮影距離                INF
f                      49.83
Fno                     2.91
2ω                    31.37
[レンズ諸元]
r           d           nd          vd
[1]                  25.6932      2.9860     1.88100       40.14
[2]                  78.1195      0.1500
[3]                  16.7234      2.5121     1.88100       40.14
[4]                  23.5258      0.8500     1.68893       31.16
[5]                  13.0992      1.1461
[6]                  17.3301      2.8747     1.49700       81.61
[7]                 206.6586      0.8500     1.71736       29.50
[8]                  14.6907      3.6520
[9]                 開口絞り          d9
[10]                -14.8255      0.8500     1.59551       39.22
[11]                 51.9204      3.1601     1.77250       49.62
[12]                -41.3253      0.7021
[13]                 69.7649      4.5681     1.77250       49.47
* [14]                -24.4434         d14
[15]                -45.1987      0.8500     1.49700       81.61
[16]                 33.3998      2.0054
[17]                 40.2381      3.4071     1.51823       58.96
[18]               -158.4762          Bf
*:非球面
[可変間隔]
撮影距離                d9         d14          Bf
INF                  12.0088      1.2000     15.5014
800mm                 9.0132      4.1956     15.5014
[非球面係数]
14面
A4                1.66652E-05
A6                4.92275E-09
A8                0.00000E+00
A10               0.00000E+00
【０１７４】
実施例１４
[全体諸元]
撮影距離                INF
f                      54.15
Fno                     2.91
2ω                    28.99
[レンズ諸元]
r           d           nd          vd
[1]                  22.8494      3.8512     1.88100       40.14
[2]                  72.9156      4.2501
[3]                  14.7989      4.0964     1.49700       81.61
[4]                -596.7061      0.8500     1.72825       28.32
[5]                  11.5054      4.0442
[6]                 開口絞り          d6
[7]                 -13.2230      0.8500     1.65844       50.85
[8]                 278.9063      4.5406     1.77250       49.62
[9]                 -19.5173      0.1500
[10]                 61.1270      3.6152     1.77250       49.47
* [11]                -45.4303         d11
[12]                -46.4826      0.8500     1.59349       67.00
[13]                 52.9372      3.6470
[14]                184.5884      2.5964     1.80420       46.50
[15]                -77.8785          Bf
*:非球面
[可変間隔]
撮影距離              d6         d11          Bf
INF                  12.0519      1.2000     14.4036
800mm                 8.3631      4.8887     14.4037
[非球面係数]
11面
A4                1.31775E-06
A6               -2.40905E-09
A8                0.00000E+00
A10               0.00000E+00
【０１７５】
[条件式対応値]
条件式1   条件式2      条件式3       条件式4   条件式5    条件式6
条件式    f1/f2-3    |f2/f3|  |f3axf3b/f^2|  |RDB1/f|  |RDB2/f|    n3a/n3b
範囲    1.20-7.50  0.01-0.35   0.90-6.50      1.00-     0.85-    0.800-0.990
実施例1    3.235     0.140        1.786        32.44     1.90       0.884
実施例2    3.225     0.148        1.572        15.09     1.19       0.889
実施例3    3.568     0.014        1.132        32.45     3.27       0.944
実施例4    5.629     0.020        1.012         2.59     1.10       0.927
実施例5    4.725     0.116        1.889         1.46    32.49       0.953
実施例6    6.586     0.187        4.232        64.36     1.01       0.969
実施例7    3.963     0.115        2.574        42.60     3.31       0.884
実施例8    3.278     0.138        2.504         4.02     1.85       0.856
実施例9    3.656     0.220        6.058         1.31    32.83       0.905
実施例10   2.745     0.180        1.750         4.54     1.30       0.856
実施例11   3.156     0.152        1.869        21.46     1.77       0.904
実施例12   1.461     0.322        1.253         9.43     0.91       0.958
実施例13   1.427     0.285        0.966         4.15     1.04       0.986
実施例14   1.353     0.256        0.970        11.02     5.15       0.883
【符号の説明】
【０１７６】
Ｇ１    第１レンズ群
Ｇ２    第２レンズ群
Ｇ３    第３レンズ群
ＤＢ１  接合レンズ
ＤＢ２  接合レンズ
Ｇ３ａ  ３ａ群
Ｇ３ｂ  ３ｂ群
Ｓ      開口絞り
【図１】
0005714535.tif 000003
【図２】
0005714535.tif 000004
【図３】
0005714535.tif 000005
【図４】
0005714535.tif 000006
【図５】
0005714535.tif 000007
【図６】
0005714535.tif 000008
【図７】
0005714535.tif 000009
【図８】
0005714535.tif 000010
【図９】
0005714535.tif 000011
【図１０】
0005714535.tif 000012
【図１１】
0005714535.tif 000013
【図１２】
0005714535.tif 000014
【図１３】
0005714535.tif 000015
【図１４】
0005714535.tif 000016
【図１５】
0005714535.tif 000017
【図１６】
0005714535.tif 000018
【図１７】
0005714535.tif 000019
【図１８】
0005714535.tif 000020
【図１９】
0005714535.tif 000021
【図２０】
0005714535.tif 000022
【図２１】
0005714535.tif 000023
【図２２】
0005714535.tif 000024
【図２３】
0005714535.tif 000025
【図２４】
0005714535.tif 000026
【図２５】
0005714535.tif 000027
【図２６】
0005714535.tif 000028
【図２７】
0005714535.tif 000029
【図２８】
0005714535.tif 000030
【図２９】
0005714535.tif 000031
【図３０】
0005714535.tif 000032
【図３１】
0005714535.tif 000033
【図３２】
0005714535.tif 000034
【図３３】
0005714535.tif 000035
【図３４】
0005714535.tif 000036
【図３５】
0005714535.tif 000037
【図３６】
0005714535.tif 000038
【図３７】
0005714535.tif 000039
【図３８】
0005714535.tif 000040
【図３９】
0005714535.tif 000041
【図４０】
0005714535.tif 000042
【図４１】
0005714535.tif 000043
【図４２】
0005714535.tif 000044
【図４３】
0005714535.tif 000045
【図４４】
0005714535.tif 000046
【図４５】
0005714535.tif 000047
【図４６】
0005714535.tif 000048
【図４７】
0005714535.tif 000049
【図４８】
0005714535.tif 000050
【図４９】
0005714535.tif 000051
【図５０】
0005714535.tif 000052
【図５１】
0005714535.tif 000053
【図５２】
0005714535.tif 000054
【図５３】
0005714535.tif 000055
【図５４】
0005714535.tif 000056
【図５５】
0005714535.tif 000057
【図５６】
0005714535.tif 000058
【図５７】
0005714535.tif 000059
【図５８】
0005714535.tif 000060
【図５９】
0005714535.tif 000061
【図６０】
0005714535.tif 000062
【図６１】
0005714535.tif 000063
【図６２】
0005714535.tif 000064
【図６３】
0005714535.tif 000065
【図６４】
0005714535.tif 000066
【図６５】
0005714535.tif 000067
【図６６】
0005714535.tif 000068
【図６７】
0005714535.tif 000069
【図６８】
0005714535.tif 000070
【図６９】
0005714535.tif 000071
【図７０】
0005714535.tif 000072
【図７１】
0005714535.tif 000073
【図７２】
0005714535.tif 000074
【図７３】
0005714535.tif 000075
【図７４】
0005714535.tif 000076
【図７５】
0005714535.tif 000077
【図７６】
0005714535.tif 000078
【図７７】
0005714535.tif 000079
【図７８】
0005714535.tif 000080
【図７９】
0005714535.tif 000081
【図８０】
0005714535.tif 000082
【図８１】
0005714535.tif 000083
【図８２】
0005714535.tif 000084
【図８３】
0005714535.tif 000085
【図８４】
0005714535.tif 000086
【図８５】
0005714535.tif 000087
【図８６】
0005714535.tif 000088
【図８７】
0005714535.tif 000089
【図８８】
0005714535.tif 000090
【図８９】
0005714535.tif 000091
【図９０】
0005714535.tif 000092
【図９１】
0005714535.tif 000093
【図９２】
0005714535.tif 000094
【図９３】
0005714535.tif 000095
【図９４】
0005714535.tif 000096
【図９５】
0005714535.tif 000097
【図９６】
0005714535.tif 000098
【図９７】
0005714535.tif 000099
【図９８】
0005714535.tif 000100
【図９９】
0005714535.tif 000101
【図１００】
0005714535.tif 000102